(57)【要約】【課題】  枠本体の側壁を上下壁間に設けられた１枚板で形成した場合には、側壁の反り防止用の棚板を設ける必要があり、また、側壁を構成する１枚板を大きな材料から材料取りしなくてはならず、経済的に不利である。【解決手段】  遊技部品を収納する前方に開口した箱状に形成された枠本体８と、枠本体にヒンジ９で着脱可能に取付けられて枠本体の前方の開口を開閉可能な開閉枠とを備えた遊技機枠において、枠本体８の側壁１４を、上板１８と、下板１９と、これら上板１８の下端部１８Ａと下板１９の上端部１９Ａとを互いに上下連結する連結部材２０とにより形成した。【選択図】        図１
2005261680.tif 000002
【特許請求の範囲】
【請求項１】
遊技部品を収納する前方に開口した箱状に形成された枠本体と、枠本体にヒンジで着脱可能に取付けられて枠本体の前方の開口を開閉可能な開閉枠とを備えた遊技機枠において、枠本体の側壁が上板と、下板と、これら上板の下端部と下板の上端部とを互いに上下連結する連結部材とにより形成されたことを特徴とする遊技機枠。
【請求項２】
連結部材の前後長さが、枠本体の側壁の前端から枠本体の後壁の内面までの側壁に沿った連続長さと同じ長さに形成されたことを特徴とする請求項１に記載の遊技機枠。
【請求項３】
連結部材が側壁の上板の下端面と側壁の下板の上端面との間隔を人の手の指の挿入可能な間隔に保持したことを特徴とする請求項１又は請求項２に記載の遊技機枠。
【請求項４】
連結部材が枠本体の内側に張出す支持部を備え、支持部が、複数の遊技部品を組付けて構成された遊技部品構成体を支持したことを特徴とする請求項１ないし請求項３のいずれかに記載の遊技機枠。
【請求項５】
連結部材には支持部に支持されて枠本体内に搭載された遊技部品構成体の左右の移動を規制する左右規制部を備え、枠本体の後壁には枠本体内に搭載された遊技部品構成体の後方への移動を規制する後規制部を備え、開閉枠の裏面には開閉枠の閉じた場合に枠本体内に搭載された遊技部品構成体の前方及び上方への移動を規制する前規制部を備えたことを特徴とする請求項４に記載の遊技機枠。
【請求項６】
連結部材が、上板の下端側の外面と互いに連結された連結片と、連結片の下端より延長して上板の下端面と対向する横延長片と、横延長片の終端より立ち上って上板の内面と対向する上延長片と、上延長片の上端より上板の内面から離れる方向に延長する内側横延長片と、内側横延長片の終端より立ち下がる立下がり片と、立下がり片の下端より上板の内面から離れる方向に水平に延長する水平片とからなる上側構成部と、上側構成部と同機能形態に形成された下側構成部と、上側構成部の水平片と下側構成部の水平片とを互いに連結する連結片とを備えたことを特徴とする請求項１又は請求項２に記載の遊技機枠。
【発明の詳細な説明】
【技術分野】
【０００１】
本発明は枠本体の側壁の反りを防止するための棚板を不要とできるとともに側壁を構成する板を小さい材料から材料取りできて材料の有効活用化を可能とする遊技機枠に関する。
【背景技術】
【０００２】
スロットマシンの遊技機枠の枠本体は、後壁と上壁と下壁と両側壁と棚板とで構成され、前方に開口した箱状に形成される（特許文献１）。特許文献１における枠本体の側壁は、上下壁間を繋ぐ上下に長い１枚板により形成されているので、側壁が反りを生じ易く、側壁の反りを防止するために側壁間に棚板を挿入して棚板を両側壁に止めねじで固定する必要がある。１枚板とは、自然木板あるいは合板あるいは集成板あるいは継板等により単一の板として形成された板を言う。
【特許文献１】特開２００３−１３５６５４号公報
【発明の開示】
【発明が解決しようとする課題】
【０００３】
解決しようとする問題点は、枠本体の側壁を上下壁間に設けられた１枚板で形成した場合には、側壁の反り防止用の棚板を設ける必要があり、また、側壁を構成する１枚板を大きな材料から材料取りしなくてはならず、経済的に不利であるという点である。
【課題を解決するための手段】
【０００４】
本発明の遊技機枠は、遊技部品を収納する前方に開口した箱状に形成された枠本体と、枠本体にヒンジで着脱可能に取付けられて枠本体の前方の開口を開閉可能な開閉枠とを備えた遊技機枠において、枠本体の側壁が上板と、下板と、これら上板の下端部と下板の上端部とを互いに上下連結する連結部材とにより形成されたことを最も特徴とする。連結部材の前後長さが、枠本体の側壁の前端から枠本体の後壁の内面までの側壁に沿った連続長さと同じ長さに形成されたことや、連結部材が側壁の上板の下端面と側壁の下板の上端面との間隔を人の手の指の挿入可能な間隔に保持したことや、連結部材が枠本体の内側に張出す支持部を備え、支持部が、複数の遊技部品を組付けて構成された遊技部品構成体を支持したことや、連結部材には支持部に支持されて枠本体内に搭載された遊技部品構成体の左右の移動を規制する左右規制部を備え、枠本体の後壁には枠本体内に搭載された遊技部品構成体の後方への移動を規制する後規制部を備え、開閉枠の裏面には開閉枠の閉じた場合に枠本体内に搭載された遊技部品構成体の前方及び上方への移動を規制する前規制部を備えたことや、連結部材が、上板の下端側の外面と互いに連結された連結片と、連結片の下端より延長して上板の下端面と対向する横延長片と、横延長片の終端より立ち上って上板の内面と対向する上延長片と、上延長片の上端より上板の内面から離れる方向に延長する内側横延長片と、内側横延長片の終端より立ち下がる立下がり片と、立下がり片の下端より上板の内面から離れる方向に水平に延長する水平片とからなる上側構成部と、上側構成部と同機能形態に形成された下側構成部と、上側構成部の水平片と下側構成部の水平片とを互いに連結する連結片とを備えたことも特徴とする。
【発明の効果】
【０００５】
本発明によれば、枠本体の側壁を、上板と、下板と、これら上板の下端部と下板の上端部とを互いに上下連結する連結部材とにより形成したことで、枠本体の側壁の反りを防止するための棚板を不要とできるとともに側壁を構成する板を小さい材料から材料取りできて材料の有効活用化が図れる。連結部材の前後長さを、枠本体の側壁の前端から枠本体の後壁の内面までの側壁に沿った連続長さと同じ長さに形成したことで、連結部材の前端と閉じられた開閉枠の裏面との間、及び、連結部材の後端と後壁の内面との間との間から不正操作物を挿入できない状態に設定可能となり、遊技機枠内へ不正操作物を挿入させることによる不正操作を困難とできる。連結部材により、側壁の上板の下端面と側壁の下板の上端面との間隔が人の手の指の挿入可能な間隔に保持されるので、枠本体の外側から人が手の指を挿入できる持ち手部が形成され、スロットマシンの持ち運びを容易とできる。連結部材が枠本体の内側に張出す支持部を備えたので、複数の遊技部品を組付けた遊技部品構成体を支持する機能をも連結部材に持たせることができ、また、遊技部品構成体の枠本体内への搭載作業を簡単化でき、複数の遊技部品を一度に枠本体内に搭載できる。連結部材が枠本体内に搭載された遊技部品構成体の左右規制部を備え、枠本体の後壁が後規制部を備え、開閉枠の裏面が前規制部を備えたので、枠本体内への遊技部品構成体の搭載作業及び位置合わせ作業を容易とできる。連結片と、横延長片と、上延長片と、内側横延長片と、立下がり片と、水平片とからなる上側構成部と、上側構成部と同機能形態に形成された下側構成部と、上側構成部の水平片と下側構成部の水平片とを互いに連結する連結片とを備えた連結部材を用いることで、上板の下端部と下板の上端部とを挟む挟持部が形成され、挟持部で上板の下端部と下板の上端部とを位置決めした状態で上板の下端部と下板の上端部とを連結部材にねじ止め可能となるので、ねじ止め作業が容易になる。また、上側構成部と下側構成部の構成により、遊技部品構成体の荷重を支える支持部の強度を向上できる。また、人の手の指の挿入可能な間隔より挿入した指を上方に曲げることを可能とする凹部が形成されるので、スロットマシンの持ち運びをさらに容易とできる持ち手部を形成できる。
【発明を実施するための最良の形態】
【０００６】
図１は本発明の最良形態によるスロットマシンの遊技機枠の枠本体と枠本体に収納される遊技部品構成体との関係を示し、図２は枠本体の側面を示し、図３は連結部材を示し、図４は遊技部品構成体のベース板を示し、図５は枠本体の背面を示し、図６は枠本体の縦断面を示し、図７は枠本体内に遊技部品が収納されたスロットマシンの開閉枠を開いた状態を示し、図８は枠本体内に収納された遊技部品構成体と閉じられた開閉枠との関係を示し、図９はスロットマシンの開閉枠を閉じた状態を示す。
【０００７】
図７を参照し、スロットマシンの遊技機枠を説明する。遊技機枠１は、回胴表示装置２、主制御装置３、副制御装置４、電源装置５、ホッパ６、スピーカ７等の遊技部品を収納する前方に開口した箱状に形成された枠本体８と、枠本体８に上下のヒンジ９；９で着脱可能に取付けられて枠本体８の前方の開口を開閉可能な開閉枠１０とを備える。
【０００８】
図１を参照し、枠本体８について説明する。枠本体８は、後壁１１と上壁１２と下壁１３と両側壁１４；１４とで形成される。下壁１３は１枚板により形成される。１枚板とは、自然木板あるいは合板あるいは集成板あるいは継板等により単一の板として形成された板を言う。後壁１１は横幅が下壁１３の横幅と同じ長さの１枚板により形成される。後壁１１は下壁１３の後端側において板面が下壁１３の板面に対して垂直に延長する。上壁１２は横幅が後壁１１の横幅と同じ長さで前後幅が下壁１３より短い長さの１枚板により形成される。上壁１２は後壁１１の上端側より前方に延長する。上壁１２の板面は後壁１１の板面に対して垂直に延長して下壁１３の板面と平行に対向する。側壁１４は上下長さが上壁１２と下壁１３との側端間の垂直長さと同じ長さに形成される。側壁１４の上端の前後幅は上壁１２の前後幅と同じ長さに形成される。側壁１４の下端の前後幅は下壁１３の前後幅と同じ長さに形成される。側壁１４の前端面は上方から下方に向けて前方に傾斜する。上壁１２の両側端が側壁１４；１４の上端側の内面に突き付けられて上壁１２の側端と側壁１４；１４の上端側とが止ねじ１５により互いに連結される。後壁１１の両側端が側壁１４；１４の後端側の内面に突き付けられて後壁１１の側端と側壁１４；１４の後端側とが止ねじ１６により互いに連結される。下壁１３の両側端が側壁１４；１４の後端側の内面に突き付けられて下壁１３の側端と側壁１４；１４の下端側とが止ねじ１７により互いに連結される。側壁１４は上板１８と下板１９と連結部材２０とで形成される。上板１８の下端面１８ａと下板１９の上端面１９ａとが間隔を隔てて向き合わされた状態で、連結部材２０により上板１８の下端部１８Ａと下板１９の上端部１９Ａとが互いに上下連結（縦連結）される。上板１８及び下板１９の上下長さは、上壁１２と下壁１３との間の垂直長さのほぼ１／２程度の長さに設定される。従って、側壁１４を構成する上板１８及び下板１９は、上下長さが上下壁１２；１３間の垂直長さのほぼ１／２程度の長さの短いものでよく、小さい材料からでも材料取りできるので、材料の有効活用化を図ることができ、経済的に有利である。また、上板１８及び下板１９は上下長さが短いので反りにくく、側壁１４；１４の反りを防止するための棚板を設ける必要が無くなる。
【０００９】
図１；図３を参照し、連結部材２０を説明する。連結部材２０は、上板１８の下端側の外面と止ねじ２１で互いに締結された連結片としての第１垂直片２２と、第１垂直片２２の下端より延長して上板１８の下端面１８ａと対向する横延長片としての第１水平片２３と、第１水平片２３の終端より立ち上って上板１８の内面１８ｅと対向する上延長片としての第２垂直片２４と、第２垂直片２４の上端より上板１８の内面１８ｅから離れる方向に延長する内側横延長片としての第２水平片２５と、第２水平片２５の終端より立ち下がる立下がり片としての第３垂直片２６と、第３垂直片２６の下端より上板１８の内面１８ｅから離れる方向に水平に延長する水平片としての第３水平片２７とからなる上側構成部２８と、上側構成部２８とほぼ上下対称の同形態に形成された下側構成部２９と、上側構成部２８の第３水平片２７と下側構成部２９の第３水平片２７とを互いに連結する連結片としての垂直連結片３０とを備える。連結部材２０のうち枠本体８の内側に張出す部分が支持部３０Ａを構成し、この支持部３０Ａが、複数の遊技部品を組付けて構成された後述の遊技部品構成体３５を支持するので、連結部材２０に遊技部品構成体３５を支持する機能をも持たせることができる。また、上側構成部２８と下側構成部２９の構成により、遊技部品構成体３５の荷重を支える支持部の強度を向上できる。
【００１０】
連結部材２０の第１垂直片２２と第１水平片２３と第２垂直片２４とで形成される凹部により挟持部３１が形成される。上側構成部２８の挟持部３１内に上板１８の下端部１８Ａが挿入されて上板１８の下端部１８Ａの外面と上側構成部２８の第１垂直片２２とが外側から止ねじ２１で締結される。下側構成部２９の挟持部３１内に下板１９の上端部１９Ａが挿入されて下板１９の上端部１９Ａの外面１９ｄと下側構成部２９の第１垂直片２２とが外側から止ねじ２１で締結される。これにより、上板１８の下端部１８Ａと下板１９の上端部１９Ａとが挟持部３１；３１により位置決めされた状態で止ねじ２１により連結部材２０に固定できるので、ねじ止め作業が容易になる。
【００１１】
連結部材２０の上側構成部２８の第１水平片２３と下側構成部２９の第１水平片２３とは人の手の指の挿入可能な間隔Ｈを隔てて対向する（図２参照）。従って、枠本体８の外側から上側構成部２８の第１水平片２３と下側構成部２９の第１水平片２３との間に人が手の指を挿入できる持ち手部が形成され、スロットマシンの持ち運びを容易とできる。さらに、上側構成部２８の第２垂直片２４と第２水平片２５と第３垂直片２６とで形成される凹部３２を備えるので、枠本体８の外側から上側構成部２８の第１水平片２３と下側構成部２９の第１水平片２３と間の間隔Ｈより挿入した指を上方に曲げることが可能となり、スロットマシンの持ち運びをさらに容易とできる持ち手部を形成できる。
【００１２】
連結部材２０の前後長さは、側壁１４；１４の上板１８の下端部１８Ａ及び下板１９の上端部１９Ａにおける前端９８から後壁１１の内面１１ａまでの連続長さと同じ長さに形成される（図２，図６参照）。即ち、連結部材２０の前後長さは、枠本体８の側壁１４の前端９８から枠本体８の後壁１１の内面１１ａまでの側壁１４に沿った水平連続長さと同じ長さである。よって、連結部材２０の前端２０ｆが閉じられた開閉枠１０の裏面と接触するか、接触しないまでも連結部材２０の前端２０ｆと閉じられた開閉枠１０の裏面との間から針金やピアノ線等の不正操作物を挿入できない程度に連結部材２０の前端２０ｆと閉じられた開閉枠１０の裏面とが対向する状態に設定可能となる。同様に、連結部材２０の後端２０ｅが後壁１１の内面１１ａと接触するか、接触しないまでも連結部材２０の後端２０ｅと後壁１１の内面１１ａとの間から不正操作物を挿入できない程度に連結部材２０の後端２０ｅと後壁１１の内面１１ａとが対向する状態に設定可能となる（図２，図６参照）。従って、遊技機枠１内へ不正操作物を挿入させることによる不正操作を困難とできる。
【００１３】
図１に左右の連結部材２０；２０の支持部３０Ａにおける上側構成部２８の第３水平片２７上に載置されて枠本体８内に搭載される遊技部品構成体３５を示す。遊技部品構成体３５は、ベース板３６と、ベース板３６に着脱可能に取付けられる回胴表示装置２及び副制御装置４と、回胴表示装置２の筐体３７の上に着脱可能に取付けられた主制御装置３とで形成される。
【００１４】
図１；図４を参照し、ベース板３６を説明する。ベース板３６は、中央部３８と、中央部３８の両端より垂直に立ち上る両立上り部３９；３９と、立上り部３９；３９の上端より互いに離れる方向に延長する両水平部４０；４０とを備える。ベース板３６の前後長さは連結部材２０の前後長さと同じ長さに設定され、ベース板３６の横の長さは、左右の側壁１４；１４に設けられた左右の連結部材２０；２０の上側構成部２８；２８の第３垂直片２６；２６間の最短長さより若干短い程度に設定される。ベース板３６は立上り部３９；３９を備えるので、ベース板３６の強度を向上できる。
【００１５】
回胴表示装置２は、複数の図柄４８を所定の間隔を隔てて周方向に備えた回胴リール４１と回胴リール４１を回転させるステップモータ４２と回胴リール４１の角度情報を検出する図外のエンコーダとで構成されたリールユニット４３を複数別々に備え、複数のリールユニット４３が複数のリールユニット４３の後方を収納する半円弧の筒形状に形成された筐体３７に保持されている。即ち、筐体３７は横に並べられる複数のリールユニット４３の幅に対応する横幅の板を上下に湾曲形成してなるもので、上端から後方に延長して湾曲されて下端が前方に戻され、下端にベース板３６の前端４５に対向する取付片５０を備える。リールユニット４３のステップモータ４２はモータ支持板４６に取付けられ、モータ支持板４６と筐体３７とは図外の溶接や止ねじにより互いに連結される。回胴リール４１は、リールユニット４３毎のステップモータ４２により別々に駆動され、例えばドラム状のリール４７の外周に複数の図柄４８を有する図柄支持体４９を備える。
【００１６】
ベース板３６の中央部３８の上には回胴表示装置２が載置されて回胴表示装置２の筐体３７の下部に設けられた取付片５０とベース板３６の前端面とが図外の取付孔を経由して止ねじ５１により互いに連結される。ベース板３６の右側の水平部４０の上には取付ブラケット５２が設けられ、副制御装置４と取付ブラケット５２；５２とが止ねじ５３；５３で互いに連結される。回胴表示装置２の筐体３７の上部には取付ブラケット５４が設けられ、主制御装置３と取付ブラケット５４とが止ねじ５５で互いに連結される。このように構成された遊技部品構成体３５を、枠本体８の前面開口から枠本体８内に挿入して、ベース板３６の両水平部４０；４０を両側壁１４；１４の連結部材２０；２０の第３水平片２７；２７の上に載置することで枠本体８内に遊技部品構成体３５を搭載できる。即ち、回胴表示装置２と主制御装置３と副制御装置４とを組み合わせた遊技部品構成体３５の枠本体８内への搭載作業を簡単化でき、３つの遊技部品を一度に枠本体８内に搭載できる。
【００１７】
開閉枠１０の裏面には、開閉枠１０が閉じられた場合に、枠本体８内に搭載された遊技部品構成体３５のベース板３６の取付片５０の前面５０ａと上面５０ｂとを抑える抑え部材５６が設けられる。従って、遊技部品構成体３５が枠本体８内に搭載された場合には、ベース板３６の両端側が左右の連結部材２０；２０の上側構成部２８；２８の第３水平片２７；２７上に載置されて、ベース板の両端と左右の連結部材２０；２０の上側構成部２８；２８の第３垂直片２６；２６とがわずかな隙間を隔てて対向するので、左右規制部として機能する第３垂直片２６；２６により遊技部品構成体３５の左右方向の移動が規制される。また、ベース板３６の後端が後壁１１の後規制部として機能する内面１１ａに接触して遊技部品構成体３５の後方への移動が規制される。さらに、ベース板３６の前面に取付けられる回胴表示装置２の筐体３７の取付片５０の前面５０ａ及び上面５０ｂが前規制部として機能する抑え部材５６により抑えられて遊技部品構成体３５の前方及び上方への移動が規制される（図８参照）。このように、左右規制部、後規制部、前規制部を備えるので、遊技部品構成体３５が前後、左右、上方への移動を規制された状態に遊技機枠１に搭載されると、各リールユニット４３の図柄支持体４９が開閉枠１０の前面パネル６１の中央に形成された図柄視認部６５の後方に位置決めされる。従って、ベース板３６と左右規制部、後規制部、前規制部とにより、遊技部品構成体３５が遊技機枠１内の所定の位置に位置決めされた状態に搭載される。よって、枠本体８内への遊技部品構成体３５の搭載作業及び位置合わせ作業を容易とできる。
【００１８】
図５；６に示すように、枠本体８の後壁１１の上端と上壁１２との間、及び、後壁１１の下端と下壁１３との間には数ｃｍ程度の隙間５７が形成される。後壁１１の内面１１ａと下壁１３の内面１３ａとに対向する断面Ｌ字状の長尺材５８が枠本体８の内側から止ねじ５８ａ（図１参照）により取付けられて隙間５７が塞がれる。同様に、後壁１１の内面１１ａと上壁１２の内面１２ａとに対向する断面Ｌ字状の長尺材５８が枠本体８の内側から止ねじ５８ａにより取付けられて隙間５７が塞がれる。後壁１１の内面１１ａと平行な長尺材５８の片５９には、枠本体８の内外に空気の流通を可能とし、かつ、外部から枠本体８内への不正操作物の挿入を困難とする程度の複数の細孔６０が形成される。従って、枠本体８が遊技機設置設備９９上に取付けられ、開閉枠１０が閉じられてスロットマシンの電源が投入された以後、複数の細孔６０により、枠本体８内に収納された遊技部品より発生する熱を枠本体８の外部に逃がすとともに枠本体８内に外気を取込むことができて遊技部品を空冷できるとともに不正操作物を用いた不正行為を困難とできる。細孔６０の形成された長尺材５８は、いわゆるパンチングメタルとかメタルメッシュと言われるものである。
【００１９】
図９を参照し、開閉枠１０の前面を説明する。開閉枠１０は、前面上部に前面パネル６１、前面中部に操作部６２、前面下部に皿構造体６３を備える。前面パネル６１の裏面には黒色系印刷又は黒色系塗料で形成された遮光性被膜６４により図柄等の意匠が施されていて、前面パネル６１の前方から前面パネル６１の後方を視認できない遮蔽領域６１ａが形成される。前面パネル６１の中央には裏面の遮光性被膜６４が抜かれて形成された視認領域が形成され、この視認領域を通して枠本体８内に収納された回胴表示装置２の図柄４８を前方から視認できる図柄視認部６５が形成される。また、前面パネル６１の下方にも遮光性被膜６４が抜かれた３つの視認領域部６６；６７；６８が形成される。３つの視認領域部６６；６７；６８の裏には、図外のセグメント表示器が設けられ、図９の右側からクレジット数表示部、ボーナス消化表示部、賞払出数表示部が形成される。前面パネル６１の前面の周囲にはランプ飾り６９を備える。操作部６２の上面の左にはメダル１枚掛け（１ＢＥＴ）投入ボタンスイッチ７０、メダル２枚掛け（２ＢＥＴ）投入ボタンスイッチ７１、メダル３枚掛け（ＭＡＸＢＥＴ）投入ボタンスイッチ７２が設けられる。操作部６２の上面の右側にはメダル投入口７３が設けられる。操作部６２の前面の上部左側にはスタートレバースイッチ７５、クレジット精算ボタンスイッチ７６が設けられる。操作部６２の前面の中央には、第１図柄停止ボタンスイッチ７７、第２図柄停止ボタンスイッチ７８、第３図柄停止ボタンスイッチ７９が設けられる。操作部６２の前面の右側には錠８０が設けられ、この錠８０に図外の専用の鉤を差し込んで左に回動することにより、開閉枠１０と枠本体８とのロックレバー８１とロック片８２との係合が解除されて図７に示すように開閉枠１０がヒンジ９；９を支点として片開き可能となる。開閉枠１０を枠本体８の前面に押し付けることでロックレバー８１とロック片８２とが係合して図９に示すように開閉枠１０が閉じられる。皿構造体６３は、左側に灰皿８３、右側にビンなどを受ける皿８４、中央にメダル受け皿８５を有する。枠本体８内に搭載された遊技部品構成体３５に対して枠本体８内の下部右側にはホッパ（メダルタンク）６が設けられる。枠本体８に搭載された遊技部品構成体３５の左横に位置する側壁１４の内面１８ｅには止ねじ等で電源装置５が取付けられる。
【００２０】
図７に示すように開閉枠１０の裏面にはメダル投入口７３より投入されたメダルをホッパ６に排出するメダル樋８７、ホッパ６のメダル払出口８８に連接されてメダル払出口８８から払出されたメダルを受けるメダル受口８９、メダル受口８９からメダル受け皿８５にメダルを導くメダル樋９０、スピーカ７、上述したクレジット数表示部、ボーナス消化表示部、賞払出数表示部を形成する図外のセグメント表示器が搭載される基板９１が取付けられる。本形態では、遊技部品構成体３５や電源装置５を枠本体８内の上方に設け、枠本体８内の下部の右側にホッパ６を設け、枠本体８内の下部の左側にスペースを設けたことで、このスペースがスピーカ７の音響空間となり、この音響空間を広くできるので、スピーカ口径の大きな低音スピーカを設けることができ、低音を出力して迫力を出せるスロットマシンを提供できる。
【００２１】
スロットマシンの遊技制御について説明する。主制御装置３が電力供給を受けて起動し、人がメダル投入口７３よりメダルを投入してスタートレバースイッチ７５を操作してスタート開始を指示すると、主制御装置３はスタートレバースイッチ７５からの開始信号により当たり外れ抽選を行うとともに、回胴表示装置２の３つの回胴リール４１を回転させる。主制御装置３は当たり外れ抽選による当たり又は外れの抽選結果を記憶部に記憶する。そして、人が図柄停止ボタンスイッチ７７；７８；７９を操作してこれらスイッチを投入することによって主制御装置３はこれらスイッチからの停止信号を入力して、３つの回胴リール４１を別々に停止させる。この際、当たり外れ抽選の抽選結果が当たりであれば、主制御装置３は人の図柄停止ボタンスイッチ７７；７８；７９の操作によるこれらスイッチからの停止信号を所定のタイミングで入力して、３つの回胴リール４１を当たり図柄で停止させる。当たり外れ抽選の抽選結果が外れであれば、主制御装置３は人の図柄停止ボタンスイッチ７７；７８；７９の操作によるこれらスイッチからの停止信号を所定のタイミングで入力して、回胴リール４１を外れ図柄で停止させる。
【００２２】
ここで最良形態のように棚板を備えない構成と特許文献１のように棚板を備える構成との違いによる効果の違いを詳説する。特許文献１のように棚板を備える場合は、枠本体の側壁に棚板を取付けてから棚板に回胴表示装置を取付けなくてはならない。また、主制御装置、副制御装置も個別に枠本体内に取付けなくてはならない。従って、枠本体内への遊技部品の搭載作業が煩雑となる。また、棚板に設けられた位置決め部と回胴表示装置に設けられた位置決め部とを合わせてから両者を止ねじで互いに連結する必要があり、位置わせ作業が煩雑となる。これに対して最良形態では、３つの遊技部品を組み合わせた遊技部品構成体３５の枠本体８内への搭載作業は、ベース板３６の両端側の水平部４０；４０を左右の連結部材２０；２０の上側構成部２８；２８の第３水平片２７；２７の上に載置してベース板３６の後端を後壁１１の内面１１ａに突き当てるだけでよいので、枠本体８内への遊技部品の搭載作業を簡単化できる。また、３つの遊技部品を一度に枠本体８内に搭載できる。従って、枠本体８内への遊技部品の搭載作業を容易とできる。また、左右の連結部材２０；２０の上側構成部２８；２８の第３垂直片２６；２６と第３水平片２７；２７とベース板３６とにより、遊技部品構成体３５の回胴表示装置２が遊技機枠１内の所定の位置に容易に位置決めされるので、筐体３７の取付片５０とベース板３６の前端面とに図外の取付孔を形成しておくことにより、この取付孔に止ねじ５１を締結するだけでよいので、ベース板３６に対する回胴表示装置２の位置合わせ作業を容易とできる。
【産業上の利用可能性】
【００２３】
図１０に示すような形状に形成された連結部材２００を用いてもよい。この連結部材２００は、図３の連結部材２０の上側構成部２８の第３水平片２７の終端より第３垂直片２６に近い側と下側構成部２９の第３水平片２７の終端より第３垂直片２６に近い側とを互いに連結する連結片３００を備え、この連結片３００と上側構成部２８の第３水平片２７の終端側と下側構成部２９の第３水平片２７の終端側とで形成されるレール３０１を備える。このレール３０１は、連結部材２００の前端から後壁１１の内面１１ａまで連続する溝により形成され、上側構成部２８の第３水平片２７の終端側（上規制部３０２）でベース板３６の水平部４０；４０の端側の上方への移動を規制し、下側構成部２９の第３水平片２７の終端側（下規制部３０３）でベース板３６の水平部４０；４０の端側の下方への移動を規制する。ベース板３６の水平部４０；４０の端側を左右の連結部材２００；２００のレール３０１の前端からレール３０１内に挿入してレール３０１内をスライドさせることで遊技部品構成体３５を枠本体８内に搭載できる。このような連結部材２００を用いれば、レール３０１の上下規制部３０２；３０３により、枠本体８内に搭載した遊技部品構成体３５の上下方向の移動をより確実に規制できる。
【００２４】
図１１に示すような連結部材２５０を用いてもよい。即ち、上板１８の下端面１８ａと下板１９の上端面１９ａとを互いに人の手の指の挿入可能な間隔に保つことができて持ち手部を形成し、かつ、ベース板３６の水平部４０が載置される支持部としての載置面２５１を備えた連結部材２５０を用いてもよい。
【００２５】
図１２に示すように、図１１の連結部材２５０の前端の開口を塞ぐ塞板２５５と連結部材２５０の前端面とが互いに連結され、連結部材２５０の後端の開口を塞ぐ塞板２５６と連結部材２５０の後端面とが互いに連結された連結部材２６０を用いれば、図１１の連結部材２５０に比べて遊技部品構成体３５の荷重を支える支持部の強度を向上できる。
【００２６】
図１３に示すように、ベース板３６の中央部３８の後端側に切り欠き部２６１や図外の孔を形成することで、ベース板３６の中央部３８の後端と枠本体８の後壁１１の内面１１ａとの間に隙間を設けることができるので、矢印２６２のように、枠本体８の後壁１１の上端側の細孔６０と後壁１１の下端側の細孔６０との間の空気の流通が可能となり、遊技部品の冷却効果を高めることができる。
【００２７】
ベース板３６の水平部４０；４０と左右の連結部材２０；２０の上側構成部２８；２８の第３水平片２７；２７とを図外の止ねじで互いに連結してもよい。このようすれば、抑え部材５６を不要とでき、さらに、ベース板３６の前後長さを短くできて中央部３８の後端と枠本体８の後壁１１の内面１１ａとの間に隙間を設けることができるので、枠本体８の後壁１１の上端側の細孔６０と後壁１１の下端側の細孔６０との間の空気の流通が可能となり、遊技部品の冷却効果を高めることができる。
【００２８】
図１４に示すように、上板１８の下端側の内面１８ｅと下板１９の上端側の内面１９ｅとを止ねじ２７０等の固定具で互いに連結する平板状の連結部材２８０で、上板１８の下端面１８ａと下板１９の上端面１９ａとを互いに人の手の指の挿入可能な間隔に保って保持してもよい。連結部材２８０はベース板３６の水平部４０を載置可能な幅を有する平板材を用いればよい。この場合でも連結部材２８０により持ち手部を形成でき、連結部材２８０の上面２８１に遊技部品構成体３５のベース板３６を載置することで、連結部材２８０の上面２８１が支持部として機能する。また、このように構成しても枠本体８の側壁１４の反りを防止するための棚板を不要とできるとともに側壁１４を構成する板を小さい材料から材料取りできて材料の有効活用化を可能とする遊技機枠を得ることができる。
【図面の簡単な説明】
【００２９】
【図１】本発明の最良形態による遊技機枠の枠本体と枠本体に収納される遊技部品構成体との関係を示す分解斜視図。
【図２】最良形態の遊技機枠の枠本体の側面図。
【図３】最良形態の遊技機枠の側壁の連結部材を示す斜視図。
【図４】最良形態の遊技機枠内に搭載される遊技部品構成体のベース板を示す斜視図。
【図５】最良形態の遊技機枠の枠本体の背面図。
【図６】最良形態の遊技機枠の枠本体の縦断面図。
【図７】最良形態の遊技機枠の枠本体に遊技部品が搭載されたスロットマシンの開閉枠を開いた状態を示す斜視図。
【図８】最良形態の遊技機枠の枠本体内に収納された遊技部品構成体と閉じられた開閉枠との関係を示す要部縦断面図。
【図９】最良形態の遊技機枠を備えたスロットマシンの開閉枠を閉じた状態を示す斜視図。
【図１０】本発明の他の遊技機枠の連結部材を示す斜視図。
【図１１】本発明の他の遊技機枠の連結部材を示す斜視図。
【図１２】本発明の他の遊技機枠の連結部材を示す斜視図。
【図１３】本発明の他の遊技機枠の枠本体を示す縦断面図。
【図１４】本発明の他の遊技機枠の枠本体を示す正面図。
【符号の説明】
【００３０】
１  遊技機枠、８  枠本体、１０  開閉枠、１１  枠本体の後壁、１４  枠本体の側壁、１８  上板、１９  下板、２０  連結部材、３０Ａ  支持部、３５  遊技部品構成体。
【図１】
2005261680.tif 000003
【図２】
2005261680.tif 000004
【図３】
2005261680.tif 000005
【図４】
2005261680.tif 000006
【図５】
2005261680.tif 000007
【図６】
2005261680.tif 000008
【図７】
2005261680.tif 000009
【図８】
2005261680.tif 000010
【図９】
2005261680.tif 000011
【図１０】
2005261680.tif 000012
【図１１】
2005261680.tif 000013
【図１２】
2005261680.tif 000014
【図１３】
2005261680.tif 000015
【図１４】
2005261680.tif 000016